(57)【要約】【課題】  相隣る２つの押釦部間の隙間を可能な限り小さくしてリモコンの小型化を可能にすると共に、部品点数を減らして組立工数も少なくすること。【解決手段】  細長に形成したハウジングの上面開口部の両側縁部に臨ませて複数の押釦スイッチ素子を配置し、複数の押釦部は、ゴム板の両側縁部を盛り上げた縁部から内方へ向かって切り込みを入れて形成し、このゴム板を、間にフレームを介在してハウジングに取り付け、押釦スイッチ素子の可動部をフレームに形成した押釦突出孔から突出して押釦部の下面に臨ませ、ゴム板の押釦部を除く中央部分と両端部を、フレームの上面に固着し、押釦部の下面とフレームの上面との間に隙間を形成したものである。【選択図】  図１
2005259563.tif 000002
【特許請求の範囲】
【請求項１】
ハウジング内の複数の押釦スイッチ素子を、対応する押釦部で開閉操作するようにしたリモコンにおけるキーボードスイッチにおいて、前記複数の押釦スイッチ素子をハウジングの上面の縁部に所定間隔で配置し、前記複数の押釦部は、ゴム板に縁部から内方へ向かって所定間隔で切り込みを入れて形成し、このゴム板を、間にフレームを介在して前記ハウジングに取り付けたことを特徴とするリモコンにおけるキーボードスイッチ。
【請求項２】
ハウジング内の複数の押釦スイッチ素子を、対応する押釦部で開閉操作するようにしたリモコンにおけるキーボードスイッチにおいて、前記ハウジングは、片手で握れる程度に細長に形成し、このハウジングの上面開口部の長手方向両側縁部に臨ませて前記複数の押釦スイッチ素子を所定間隔で配置し、前記複数の押釦部は、ゴム板の両側縁部を中央部よりも盛り上げ、この盛り上げた縁部から内方へ向かって所定間隔で切り込みを入れて形成し、このゴム板を、間にフレームを介在して前記ハウジングに取り付けたことを特徴とするリモコンにおけるキーボードスイッチ。
【請求項３】
押釦スイッチ素子は、ハウジング内部のプリント基板に搭載され、かつ、この押釦スイッチ素子の可動部をフレームに形成した押釦突出孔から貫通突出し、この可動部を押釦部の下面に臨ませ、前記ゴム板の押釦部を除く中央部分と両端部を、フレームの上面に固着し、前記押釦部の下面とフレームの上面との間に隙間を形成したことを特徴とする請求項１又は２記載のリモコンにおけるキーボードスイッチ。
【請求項４】
フレームにおけるそれぞれの押釦突出孔よりも縁側に脚片挿入孔を形成し、ゴム板のそれぞれの押釦部の下面部に、前記脚片挿入孔に嵌合係止する係止脚片を設け、この係止脚片の外向きの係止段部をフレームにおける鍔部の下面に係止するようにしたことを特徴とする請求項３記載のリモコンにおけるキーボードスイッチ。
【発明の詳細な説明】
【技術分野】
【０００１】
本発明は、各種電子機器の遠隔制御に使用されるリモコンにおけるキーボードスイッチに関するものである。
【背景技術】
【０００２】
従来のリモコンにおける代表的な押し釦スイッチには、図６に示すように、複数の押釦部１０，スカート部１５，スペーサ部１４を１枚のラバーで構成したもの（特許文献１）、図７に示すように、押釦部１０，スカート部１５，スペーサ部１４を別部材で構成したもの（特許文献２）などがある。
【０００３】
図６に示すものは、下部電極１７を形成したプリント基板１３に、押釦部１０、スカート部１５、スペーサ部１４を一体に成型し、かつ、押釦部１０の下面に上部電極１６を形成したラバースイッチを被せ、ハウジング１１にてスペーサ部１４を押えつつ、押釦部１０を進退孔１２から一部突出させたものである。
また、図７に示すものは、下部電極１７を形成したプリント基板１３にスペーサ部１４を載せ、その上から下面に上部電極１６を形成した可動基板２１を被せ、この上部電極１６の上には、それぞれ樹脂製の押釦部１０における押圧部１８を載せ、各押釦部１０は、ハウジング１１の進退孔１２から突出すると共に、押釦部１０と一体に全周囲に伸びた抜け止め鍔部１９で抜け止めとしたものである。
【特許文献１】特開２００３−１２３５８１号公報。
【特許文献２】特開２００３−６８１６７号公報。
【発明の開示】
【発明が解決しようとする課題】
【０００４】
特許文献１に記載されているキースイッチは、押釦部１０，スペーサ部１４，スカート部１５が一枚のラバーで構成されているので、部品点数が少なくなるという利点を有するが、押釦部１０を押した後で復帰するばね性を持たせるために、押釦部１０とスペーサ部１４との連続する部分であって、押釦部１０の下端外周にスカート部１５を形成しなければならず、相隣る２つの押釦部１０の間に大きな隙間ａを必要とし、そのため、押釦部１０の間隔ｂを狭くするのに限度があり、小型化しようとするリモコンの要望に応えられない。また、キースイッチの上面は、押釦部１０とハウジング１１とが別部材であり部品点数が多くなり、組立工数も多くなるなどの問題があった。
【０００５】
特許文献２に記載されているキースイッチは、特許文献１に記載されているキースイッチと異なり、スカート部１５を必要としないが、押釦部１０の抜け止めのため、押釦部１０と一体に全周囲に伸びた抜け止め鍔部１９を形成してあるので、やはり相隣る２つの押釦部１０の間に大きな隙間ａを必要とし、押釦部１０の間隔ｂを狭くするのに限度があり、小型化しようとするリモコンの要望に応えられない。さらに、この例においても、部品点数が多くなり、組立工数も多くなるなどの問題があった。
【０００６】
本発明の第１の目的は、相隣る２つの押釦部１０の隙間ａを可能な限り小さくして、押釦部１０の間隔ｂを狭くし、リモコンの小型化を可能にすると共に、部品点数を減らして組立工数も少なくすることである。
本発明の第２の目的は、小型化したリモコンを片手で握りながら他の押し釦部の押圧に影響を与えることなく所定の押し釦部を確実に押圧することの可能なものを提供することである。
【課題を解決するための手段】
【０００７】
本発明は、以上のような課題を解決するため、リモコンハウジングは、片手で握れる程度に細長に形成し、このハウジングの上面開口部の長手方向両側縁部に臨ませて前記複数の押釦スイッチ素子を所定間隔で配置し、前記複数の押釦部は、ゴム板の両側縁部を中央部よりも盛り上げ、この盛り上げた縁部から内方へ向かって所定間隔で切り込みを入れて形成し、このゴム板を、間にフレームを介在して前記ハウジングに取り付けたものである。
また、前記押釦スイッチ素子は、ハウジング内部のプリント基板に搭載され、かつ、この押釦スイッチ素子の可動部をフレームに形成した押釦突出孔から貫通突出し、この可動部を押釦部の下面に臨ませ、前記ゴム板の押釦部を除く中央部分と両端部を、フレームの上面に固着し、前記押釦部の下面とフレームの上面との間に隙間を形成したものである。
【発明の効果】
【０００８】
請求項１記載の発明によれば、複数の押釦スイッチ素子をハウジングの上面の縁部に所定間隔で配置し、前記複数の押釦部は、ゴム板に縁部から内方へ向かって所定間隔で切り込みを入れて形成し、このゴム板を、間にフレームを介在して前記ハウジングに取り付けたので、切り込みの幅は１ｍｍ程度でよく、従って、両隣の押釦部の間隔を狭くすることができ、リモコンの小型化を実現できる。また、ゴム板に縁部から内方へ向かって所定間隔で切り込みを入れるだけで複数の押釦部を形成でき、製造のみならず組み立ても簡単になる。
【０００９】
請求項２記載の発明によれば、ハウジングは、片手で握れる程度に細長に形成し、このハウジングの上面開口部の長手方向両側縁部に臨ませて前記複数の押釦スイッチ素子を所定間隔で配置し、前記複数の押釦部は、ゴム板の両側縁部を中央部よりも盛り上げ、この盛り上げた縁部から内方へ向かって所定間隔で切り込みを入れて形成し、このゴム板を、間にフレームを介在して前記ハウジングに取り付けたので、ゴム板の両側縁部の盛り上げ部分が押釦部となり、片手で持って、親指で押釦部を確実に操作することができる。また、親指の運動範囲が狭いので文字入力操作などの操作時間が長くても疲れることがない。
【００１０】
請求項３記載の発明によれば、押釦スイッチ素子は、ハウジング内部のプリント基板に搭載され、かつ、この押釦スイッチ素子の可動部をフレームに形成した押釦突出孔から貫通突出し、この可動部を押釦部の下面に臨ませ、前記ゴム板の押釦部を除く中央部分と両端部を、フレームの上面に固着し、前記押釦部の下面とフレームの上面との間に隙間を形成したので、押釦部が片持ち梁のように支持されて、押釦部の押圧力を解除したとき、押釦部は、中央の肉薄部分と係止脚片の先端部との自らの弾力により元に復帰し、押釦スイッチ素子の支持脚片への押圧力を解除することができる。
【００１１】
請求項４記載の発明によれば、フレームにおけるそれぞれの押釦突出孔よりも縁側に脚片挿入孔を形成し、ゴム板のそれぞれの押釦部の下面部に、前記脚片挿入孔に嵌合係止する係止脚片を設け、この係止脚片の外向きの係止段部をフレームにおける鍔部の下面に係止するようにしたので、フレームとゴム板の組み立て時に、互いに重ね合わせ、ゴム板の左右の各係止脚片の下端部を各脚片挿入孔に臨ませながら圧入するだけで、係止脚片は、フレームの各脚片挿入孔に嵌合し、係止段部が鍔部の下面に係止し、抜け止めとなって組み立てが簡単、かつ、確実に行なわれる。
【発明を実施するための最良の形態】
【００１２】
本発明は、リモコンハウジングを片手で容易に握れる程度に細長に形成し、このハウジングの上面開口部の長手方向両側縁部に臨ませて複数の押釦スイッチ素子を所定間隔で配置する。このゴム板は、両側縁部を中央部よりテーパーをつけて３角形状に盛り上げ、この盛り上げた縁部から内方へ向かって所定間隔で切り込みを入れて前記複数の押釦部を形成し、この押釦部を形成したゴム板を、間にフレームを介在して前記ハウジングに取り付けたものである。
また、前記押釦スイッチ素子は、ハウジング内部のプリント基板に搭載され、かつ、この押釦スイッチ素子の可動部をフレームに形成した押釦突出孔から貫通突出せしめ、この可動部を押釦部の下面に臨ませる。前記ゴム板の押釦部を除く中央部分と両端部を、フレームの上面に固着し、前記押釦部の下面とフレームの上面との間に隙間を形成したものである。
【実施例１】
【００１３】
図１乃至図４において、本発明によるリモコンの外観は、細長のハウジング２５と、このハウジング２５の上面にフレーム２６をもって取り付けられるゴム板２７と、下面に着脱自在に取り付けられる底板２９とからなる。具体的には、リモコンの形状は、幅３５ｍｍ、高さ２５ｍｍ、長さ２４０ｍｍ程度であって、片手で握って親指で前記ゴム板２７に形成した押釦部３２を操作できる程度の大きさとする。
【００１４】
前記ハウジング２５は、アルミダイキャストで作られたもので、図４に示すように、上面が開口し、両側面から底面に掛けて次第に狭くなるようにテーパーを有し、底板２９が一体に又は別体に取り付けられている。このハウジング２５の内部には、プリント配線、半導体素子、電気部品などが搭載されたプリント基板３０が取り付けられている。また、このプリント基板３０の上面の左右には、後述する押釦部３２の下部に位置して複数個の押釦スイッチ素子３１が所定の間隔で取り付けられている。
【００１５】
前記ゴム板２７は、シリコンゴムその他のラバーにて一体に成型加工したもので、図１及び図２に示すように、前記ハウジング２５の上面の開口部分を被覆するように細長い板状をなしている。
このゴム板２７には、その上面に中央から両側縁部にかけてテーパー又は湾曲して次第に盛り上がり、かつ、この盛り上がり部分に一定間隔で縁部から内方に向かった短手方向に１ｍｍ程度の切り込み３３を形成することで、押釦部３２が形成される。図示例においては、これら左右の押釦部３２の数は、各列毎に８個としたが、これに限られるものではなく、５〜２０個程度の範囲で使用目的に応じて適宜選択することができる。
【００１６】
また、このゴム板２７の下面には、前記押釦部３２の下方にそれぞれ位置し、かつ、押釦部３２の幅より狭い係止脚片３４が一体に形成されている。この係止脚片３４は、側面からやや突出して係止段部３６となり、この係止段部３６から内側に傾斜した傾斜部３５となっている。この係止脚片３４は、前記押釦部３２に対応した位置だけでなく、押釦部３２の無い部分にも適当な間隔で形成される。この係止脚片３４の組み立て後の下端部は、図４に示すように、押釦部３２を押し下げて押釦スイッチ素子３１を開閉するときの邪魔にならない様に、前記ハウジング２５における内部の段部４２との間にやや隙間が生じる程度の長さとする。
【００１７】
さらに、ゴム板２７の下面には、両面接着層を有するスペーサ３７が取り付けられている。このスペーサ３７は、左右の押釦部３２に対応する下面部分が切り取られている。
なお、前記切り込み３３は、ある押釦部３２を押したとき両隣の押釦部３２に影響を与えないためのものであるから、できるだけ深くする必要がある。この切り込み３３は、ゴム板２７の上面側からだけでなく、図４に点線で示すように、下面側からも切り込み３３ｂを形成しても良い。また、切り込み３３と切り込み３３ｂを貫通して両隣の押釦部３２同士を分離するようにしても良い。このように中央で連続し、両側部で分離した櫛の歯状としたときは、ゴミがリモコン内部に入らない様に他の手段を講ずる必要がある。
【００１８】
前記フレーム２６は、アルミダイキャストにより図３に示すように形成されたもので、幅及び長さは、前記ハウジング２５の上面に一致した平板状をなしている。このフレーム２６は、全周囲に鍔部３８が形成され、また、両側縁部には、前記ゴム板２７の係止脚片３４が圧入係止される脚片挿入孔４０が穿設されると共に、これらの脚片挿入孔４０のやや内側に押釦突出孔３９が穿設されている。この押釦突出孔３９は、前記各押釦部３２の下面であって、前記プリント基板３０の上に取り付けた押釦スイッチ素子３１が突出するためのものである。
前記フレーム２６の中央部分（両側の押釦突出孔３９の間）は、テーパー部４３によってやや盛り上がることにより、押釦部３２の下面と押釦スイッチ素子３１の間に、可動部４４を押込む為の隙間４５が形成される。
前記フレーム２６における下面の両側縁部には、前記ゴム板２７の係止脚片３４の間の隙間に位置し、かつ、前記ハウジング２５の上面開口部分の内壁に嵌合するように支持脚片４１が一体に設けられている。また、中央部には、数箇所に取り付けボス４７が一体に設けられている。
前記実施例では、フレーム２６はアルミダイキャストにより形成されているが、これに限られるものではなく、プラスチック、金属、その他の材料によって形成することもできる。
【００１９】
以上のような構成おける各部品の組み立てとリモコンとしての作用を説明する。
プリント基板３０には、左右に複数個ずつの押釦スイッチ素子３１が搭載されるとともに、その他の部品が搭載され、ハウジング２５の内部に取り付けられている。
次に、フレーム２６の上面にゴム板２７を重ね合わせる。そして、ゴム板２７の左右の各係止脚片３４の下端部を、フレーム２６の各脚片挿入孔４０に臨ませながら圧入すると、係止脚片３４は、内側が各脚片挿入孔４０の上端の傾斜面を案内され、外側の傾斜部３５が脚片挿入孔４０の壁面に案内されつつフレーム２６の各脚片挿入孔４０に嵌合し、係止段部３６が鍔部３８の下面に係止し、抜け止めとなる。
すべての係止脚片３４を脚片挿入孔４０に圧入嵌合した後、ゴム板２７の中央部と両端部をフレーム２６に押圧してフレーム２６の上面に圧着してゴム板２７とフレーム２６とを一体化する。
【００２０】
ゴム板２７とフレーム２６を一体化した後、フレーム２６の下面の支持脚片４１をハウジング２５の上面の開口部に嵌合する。すると、各押釦部３２の下面にそれぞれ押釦スイッチ素子３１の可動部４４が位置するとともに、鍔部３８の下面がハウジング２５の上面の縁に重なり合う。また、フレーム２６と一体の取り付けボス４７がハウジング２５の内部の底板２９に密着するので、ねじ４６で固定する。ねじ４６の固定後、電池などを嵌め込み、カバー２８を閉じる。
【００２１】
このようにして組み立てられたリモコンを片手で握るように持ち、押釦部３２の最も高い部分の目的の押釦部３２を押し込むと、押釦部３２は、両隣に切り込み３３が形成され、かつ、ゴム板２７の中央の肉薄部分がフレーム２６に密着しているので、押釦部３２は片持ち梁のように支持されつつ先端部がテーパー部４３と隙間４５とに沿って折れ曲がり下降を開始する。また、押釦部３２を押圧すると係止脚片３４の下端部がハウジング２５の段部４２に接触するまで下降し、さらに押圧すると、係止脚片３４の下端部はややつぶれる状態となる。
このとき、目的の押釦部３２を押圧しても両隣の押釦部３２に押圧力を作用させることなく、該当する押釦スイッチ素子３１の可動部４４のみを押圧する。
押釦部３２の押圧力を解除すると、押釦部３２は、前記中央の肉薄部分と係止脚片３４の先端部との自らの弾力により元に復帰し、押釦スイッチ素子３１の可動部４４への押圧力を解除する。
【実施例２】
【００２２】
前記図１に示す実施例では、ゴム板２７の押釦部３２が両端部で盛り上がるように形成したが、必ずしもこれに限られるものではなく、図５に示すようにゴム板２７における押釦部３２を平面とすることもできる。この場合、押釦部３２の下面部分が中央部分よりも肉厚となるようにし、切り込み３３，切り込み３３ｂを斜めに形成する。また、押釦スイッチ素子３１も押釦部３２の下面に対応させ斜めに取り付ける。
また、前記実施例では、長さと幅の比が大きな細長いリモコンの例を説明したが、本発明はこれに限られるものではなく、長さと幅の比の小さな長方体状のリモコンや、楕円形のリモコンなどであってもよく、要するに、縁部に切り込み３３を入れて押釦部３２を形成するものであればよい。
【図面の簡単な説明】
【００２３】
【図１】本発明によるリモコンにおけるキーボードスイッチの一実施例を示す斜視図である。
【図２】図１におけるゴム板２７の底面から見た斜視図である。
【図３】図１におけるフレーム２６の底面から見た斜視図である。
【図４】図１におけるリモコンにおけるキーボードスイッチの縦断面図である。
【図５】本発明によるリモコンにおけるキーボードスイッチの他の実施例の縦断面図である。
【図６】従来のリモコンにおけるキーボードスイッチの第１例の断面図である。
【図７】従来のリモコンにおけるキーボードスイッチの第２例の断面図である。
【符号の説明】
【００２４】
１０…押釦部、１１…ハウジング、１２…進退孔、１３…プリント基板、１４…スペーサ部、１５…スカート部、１６…上部電極、１７…下部電極、１８…押圧部、１９…抜け止め鍔部、２１…可動基板、２５…ハウジング、２６…フレーム、２７…ゴム板、２８…カバー、２９…底板、３０…プリント基板、３１…押釦スイッチ素子、３２…押釦部、３３、３３ｂ…切り込み、３４…係止脚片、３５…傾斜部、３６…係止段部、３７…スペーサ、３８…鍔部、３９…押釦突出孔、４０…脚片挿入孔、４１…支持脚片、４２…段部、４３…テーパー部、４４…可動部、４５…隙間、４６…ねじ、４７…取り付けボス。
【図１】
2005259563.tif 000003
【図２】
2005259563.tif 000004
【図３】
2005259563.tif 000005
【図４】
2005259563.tif 000006
【図５】
2005259563.tif 000007
【図６】
2005259563.tif 000008
【図７】
2005259563.tif 000009